(57)【要約】　　　（修正有）【課題】大型の槽体を用いることなく漏れたオイルを外部に漏らさないようにする油受けと、この油受けを備えたオイルタンクを提供する。【解決手段】オイルタンク３の給油口および取出し口に着脱可能とする油受け１，２を配設する。洩れたオイルを油受け１，２が受け止めて、パイプ６，８内へ案内し、パイプ６，８から出るオイルを受容器９に受容される。【選択図】　図１
0003098946.tif 000002
【実用新案登録請求の範囲】
【請求項１】
オイルタンクの給油口に取り付けられる給油口用受け皿と、当該受け皿と外部を連通するパイプを備えてなることを特徴とする油受け。
【請求項２】
オイルタンクの取出し口に取り付けられる取出し口用受け皿と、当該受け皿と外部を連通するパイプを備えてなることを特徴とする油受け。
【請求項３】
給油口用受け皿は、オイルタンクのフランジに嵌め合わせて固定する固定部と、固定部と一体の皿板部と、皿板部の周囲に皿板部と一体に立ち上げた周壁部とからなる受皿本体と、
当該受け皿本体の開放部を開閉可能に塞ぐ蓋部とを、
備えていることを特徴とする請求項１に記載の油受け。
【請求項４】
取出し口用受け皿は、オイルタンクのフランジに嵌め合わせて固定する固定部を有した容器であり、当該容器には作業窓が備えられていることを特徴とする請求項２に記載の油受け。
【請求項５】
油受けをオイルタンクに対して着脱可能としたことを特徴とする請求項１ないし請求項４いずれか１項に記載の油受け。
【請求項６】
パイプの油出口は、持ち運び可能な受容タンクと抜き挿し可能に挿入されることを特徴とする請求項１ないし請求項５いずれか１項に記載の油受け。
【請求項７】
請求項１ないし請求項６いずれか１項に記載の油受けを備えていることを特徴とするオイルタンク。
【考案の詳細な説明】
【０００１】
【考案の属する技術分野】
本考案は、灯油、ガソリン、各種オイル類等を貯蔵するのに用いられるオイルタンクに用いられる漏液防止用の油受けと、この油受けを備えたオイルタンクに関する。
【０００２】
【従来の技術】
従来、発電機または油や薬液等のタンクから漏液する液体の流出を防止するために用いられるものとしては、例えば、これらを載置して漏液する液体を受ける槽体状のものが有る。（例えば、特許文献１および特許文献２参照）
【０００３】
【特許文献１】
実開平７−４０５８８号（〔００１２〕、図１）
【特許文献２】
実開平７−３１６９２号（〔０００８〕、図１）
【０００４】
しかしながら、特許文献１および特許文献２に記載のものでは、大型のタンクを載置可能な大型のものであるので場所の確保について改良点が残されている。また、雨や雪がそのまま槽体内に流入して、槽体内に漏液した液体とともにあふれ出てしまう可能性が有る上に、槽体内に貯まった液体の処理が難しいものである。
特許文献２に記載のものは、ドレンを設けて槽体内に貯まった液体を抜くようにしているが、仮に、雨が降り続く状況においては、常時槽体内の液体の貯溜量を確認する必要が有るので管理が面倒である。
【０００５】
【考案が解決しようとする課題】
そこで本考案は、大型の槽体を用いることなく漏れたオイルを外部に漏らさないようにすることを課題とし、この課題を解決する油受けと、この油受けを備えたオイルタンクの提供を目的とする。
【０００６】
【課題を解決するための手段】
本考案は、上記目的を達成するために下記の技術的手段を採用した。
その技術的手段は、オイルタンクの給油口に取り付けられる給油口用受け皿と、当該受け皿と外部を連通するパイプを備えてなる油受けである。（請求項１）
また、オイルタンクの取出し口に取り付けられる取出し口用受け皿と、当該受け皿と外部を連通するパイプを備えてなる油受けである。（請求項２）
【０００７】
【考案の実施の形態】
給油口用受け皿は、たとえば、オイルタンクのフランジに嵌め合わせて固定する固定部と、固定部と一体の皿板部と、皿板部の周囲に皿板部と一体に立ち上げた周壁部とからなる受皿本体と、当該受け皿本体の開放部を開閉可能に塞ぐ蓋部とを備えている構成が例示できる。（請求項３）
取出し口用受け皿は、たとえば、オイルタンクのフランジに嵌め合わせて固定する固定部を有した容器であり、当該容器には作業窓が備えられた構成が例示できる。（請求項４）
【０００８】
油受けは、オイルタンクに対して油受けを着脱可能とすること（請求項５）が、油受けの清掃やメンテナンスを行う上で好適である。
また、パイプの油出口は、持ち運び可能な受容タンクに抜き挿し可能に挿入され（請求項６）、これによって、漏れたオイルを地面に流すことなく収容できる。
【０００９】
そして本考案は、前記油受けを備えたオイルタンクを提供するものである。
すなわち、請求項１ないし請求項６いずれか１項に記載の油受けを備えていることを特徴とするオイルタンクにしたことである。（請求項７）
【００１０】
本考案によれば、大型の槽体を使用することなく、確実にオイルの外部への漏れを防止できるし、着脱が可能であるので清掃やメンテナンスが容易に行え、さらに、パイプによって漏れたオイルを油受けから受容器へ案内することができる。
したがって、大型の槽体を用いることなく漏れたオイルを受けるという目的を達成した油受けおよびオイルタンクを提供することができる。
【００１１】
【実施例】
以下、本考案の実施例を図面に基づいて説明する。
図１は、本考案の油受け１、２を備えたオイルタンク３を示し、図中符号３１は給油口、符号３２は取出し口、符号３３はフランジ、符号３４はオイルタンク３の支持脚である。
本実施例のオイルタンク３は、一般家庭で使用される灯油を貯蔵するホームタンクと呼ばれているものである。
【００１２】
油受け１は給油口３１用のものであり、油受け２は取出し口３２用のものである。
油受け１は、図１ないし図３に示すように、給油口用受け皿５と、当該受け皿と外部を連通するパイプ６を備えて構成されている。
給油口用受け皿５は、フランジ３３に嵌め合わせて固定する固定部５１と、固定部５１と一体に連結された皿板部５２と、皿板部５２の周囲に皿板部５２と一体に立ち上げた周壁部５３とからなる受皿本体５Ａと、当該受け皿本体５Ａの開放部５４を開閉可能に塞ぐ蓋部５Ｂとを備えて構成されている。
【００１３】
蓋部５Ｂは、周壁部５３の後側に前後方向回動可能に軸支され、この支軸を中心にして回動することによって開放部５４を開閉するようにしている。
パイプ６は、油入り口６１が皿板部５２の前方に連通状に連結され、油出口６２が受容器９に挿入されている。
【００１４】
固定部５１は、皿板部５２の後端をフランジ３３に対して上下方向から着脱可能に嵌め合わせられる断面略逆向きＵ型に形成されている。
また、この固定部５１の後端面からビス５１２を貫通締め付けすることによって、油受け１をフランジ３３に固定し、緩めることによってフランジ３３から取り外すようにしている。
【００１５】
皿板部５２は、前方へ向かって傾斜しており、漏れたオイルをパイプ６に案内するようにしている。
また、皿板部５２には給油口３１の径よりも大径とする貫通孔５２１が開孔されている。
前記貫通孔５２１には、給油口３１周りに密着する径の貫通孔９１を有したパッキン９２が固着されており、前記貫通孔９１に給油口３１を貫通させることによって、給油口用受け皿５が給油口３１に対して水密構造が構成された状態で油受け１がオイルタンク３に取り付けられる。
【００１６】
周壁部５３は、皿板部５２の周囲を囲むように設けられており、上端側は蓋部５Ｂが適合する形状とし、下端側をオイルタンク２の形状に沿って適合する形状としている。
【００１７】
油受け２は、図１、図４および図５に示すように、取出し口用受け皿７と、当該受け皿と外部を連通するパイプ８を備えて構成されている。
取出し口用受け皿７は、フランジ３３に嵌め合わせて固定する固定部７１を有した容器状に形成されている。
取出し口用受け皿７の上端縁には、水密を確保するためのパッキン９３が配設されており、このパッキン９３がオイルタンク３に密着することによって、油受け１の取り付け状態において、油受け１とオイルタンク３の水密構造を構成するようにしている。
パイプ８は、油入り口８１が取出し口用受け皿７の最下部に連通状に連結され、油出口８２が受容器９に挿入されている。
【００１８】
取出し口用受け皿７の前面には、作業窓７２が備えられている。
前記作業窓７２は、取出し口用受け皿７に対して水密状、かつ着脱可能に取り付けた透明の蓋体７３を有しており、水抜きや油抜き時において蓋体７３を取り外し、通常時には取り付けておく。
なお、符号７４は、家屋内の暖房装置に配管するパイプである。
【００１９】
固定部７１は、取出し口用受け皿７の左右上端に、フランジ３３を挟むクリップ７５を固着し、このクリップ７５の側面に、ビス７２１を貫通締め付けすることによって、油受け２をフランジ３３に固定し、緩めることによってフランジ３３から取り外すようにしている。
【００２０】
本実施例の油受け１，２およびオイルタンク３によれば、漏れたオイルを油受け１，２が受け止めて、パイプ６，８内へ案内し、パイプ６，８から出るオイルは受容器９に受容される。
油受け１，２は着脱可能であるので、油受け１，２の清掃やメンテナンスが容易に行える。
【００２１】
なお、本考案は例示した実施例に限定されるものではなく、実用新案登録請求の範囲された内容から逸脱しない範囲で他の構成による実施が可能である。
【図面の簡単な説明】
【図１】本発明にかかる油受けを備えた本発明にかかるオイルタンクを示す。
【図２】要部拡大断面図。
【図３】油受けの斜視図。
【図４】要部拡大断面図。
【図５】油受けの分解斜視図。
【符号の説明】
１：油受け
２：油受け
３：オイルタンク
５：給油口用受け皿
６：パイプ
７：取出し口用受け皿
８：パイプ
９：受容器
５Ａ：受け皿本体
５Ｂ：蓋部
５１：固定部
５２：皿板部
５３：周壁部
７１：固定部
【図１】
0003098946.tif 000003
【図２】
0003098946.tif 000004
【図３】
0003098946.tif 000005
【図４】
0003098946.tif 000006
【図５】
0003098946.tif 000007